(57)【要約】      （修正有）【課題】様々な高さの商品を単一種類の陳列具で陳列できる吊下式陳列具を提供する。【解決手段】複数個のトレイ１が帯状の連結板２を介して連結され、各トレイ１が上下に並び、連結板２の長さ方向が縦方向に向いた吊下状態で、各トレイ１に載せた商品を陳列する吊下式陳列具において、トレイ１の両側の連結ピン３が挿入される連結板２の溝穴２１は、連結板２の長さ方向に延びる長穴部２２と、長穴部２２から連結板２の長さ方向の複数箇所で分岐する切込部２３とを備えており、トレイ１の相対移動に伴い、溝穴２１の長穴部２２及び切込部２３に沿って連結ピン３がスライドし、溝穴２１の複数の切込部２３のうち、いずれの切込部２３に連結ピン３を進入させるか選択することにより、吊下状態におけるトレイ１の上下方向の間隔を調整できるものとする。【選択図】図１
0003220694.tif 000002
【実用新案登録請求の範囲】
【請求項１】
複数個のトレイ(1)が帯状の連結板(2)を介して連結され、前記各トレイ(1)が上下に並び、前記連結板(2)の長さ方向が縦方向に向いた吊下状態で、前記各トレイ(1)に載せた商品を陳列する吊下式陳列具において、
前記トレイ(1)の両側の連結ピン(3)が挿入される前記連結板(2)の溝穴(21)は、前記連結板(2)の長さ方向に延びる長穴部(22)と、前記長穴部(22)から前記連結板(2)の長さ方向の複数箇所で分岐する切込部(23)とを備えており、
前記トレイ(1)の相対移動に伴い、前記溝穴(21)の長穴部(22)及び切込部(23)に沿って前記連結ピン(3)がスライド可能とされ、
前記溝穴(21)の複数の切込部(23)のうち、いずれの切込部(23)に前記連結ピン(3)を進入させるか選択することにより、吊下状態における前記トレイ(1)の上下方向の間隔が調整可能となっていることを特徴とする吊下式陳列具。
【請求項２】
前記溝穴(21)の切込部(23)は、前記長穴部(22)に直接連通する誘導部(23a)と、その誘導部(23a)の奥端側から吊下状態の方向で上方へ曲がった鉤部(23b)とから構成され、
前記連結ピン(3)が前記切込部(23)の誘導部(23a)を経て鉤部(23b)に進入すると、吊下状態で前記連結ピン(3)の前記切込部(23)から前記長穴部(22)への抜け出しが阻止されることを特徴とする請求項１に記載の吊下式陳列具。
【請求項３】
前記連結板(2)における溝穴(21)の切込部(23)は、前記長穴部(22)に対して、吊下状態の方向で陳列時の正面側から後方へ延びており、
前記溝穴(21)の切込部(23)に前記連結ピン(3)が挿入された吊下状態で、前記トレイ(1)が後方へ押されたとき、前記連結ピン(3)が前記切込部(23)の奥側に位置して、前記長穴部(22)には逸脱しないことを特徴とする請求項１又は２に記載の吊下式陳列具。
【請求項４】
前記各トレイ(1)のうち、前記長穴部(22)及び切込部(23)を備えた溝穴(21)に挿入される連結ピン(3)のないトレイ(1)の両側には、それぞれ２個の連結ピン(4,5)が突設され、そのうち一方の連結ピン(4)が前記連結板(2)に対する回転軸となり、他方の連結ピン(5)が前記連結板(2)に形成された円弧状の溝穴(25)に挿入され、
前記他方の連結ピン(5)が前記溝穴(25)に沿ってスライド可能な範囲で、前記トレイ(1)が前記連結板(2)に対して揺動可能とされ、
前記各トレイ(1)の前記連結板(2)に対する相対回転及び移動に伴い、前記各トレイ(1)が正立状態で前後に間隔を詰めて並べられた並置状態となることを特徴とする請求項１乃至３のいずれかに記載の吊下式陳列具。
【考案の詳細な説明】
【技術分野】
【０００１】
この考案は、吊下状態で上下に並んだ複数個のトレイに商品を載せて陳列する吊下式陳列具に関するものである。
【背景技術】
【０００２】
下記特許文献１には、図１０に示すように、複数個のトレイ５１が帯状の連結板５２を介して連結された吊下式陳列具として、各トレイ５１の両側の連結ピン５３が連結板５２の溝穴５４に挿入され、各トレイ５１が上下に並び、連結板５２の長さ方向が縦方向に向いた吊下状態で、トレイ５１に載せた商品を陳列するものが記載されている。
【０００３】
この吊下式陳列具では、溝穴５４が連結板５２の長さ方向に延びる長穴とされ、連結ピン５３が溝穴５４に沿ってスライド可能とされている。また、各トレイ５１の両側にも長穴の溝穴５５が形成され、各トレイ５１の両側で前後に並ぶ２個の連結ピン５３の一方が各トレイ５１の溝穴５５に沿ってスライド可能とされている。
【０００４】
これにより、商品をトレイ５１に載せたまま、トレイ５１を横倒しにすることなく、前後に間隔を詰めて並べた並置状態で外箱に収納し、小売店へ効率よく輸送することができる。また、小売店の店頭において外箱から取り出し、最上段のトレイ５１に繋がれて広告板５６に挿通された吊紐５７により吊り下げるだけで、迅速に陳列することができる。
【先行技術文献】
【特許文献】
【０００５】
【特許文献１】実開平２−１１１３５６号公報
【考案の概要】
【考案が解決しようとする課題】
【０００６】
しかしながら、上記のような吊下式陳列具では、トレイに載せる商品の高さに応じて吊下状態におけるトレイの上下方向の間隔を調整できないため、商品の高さに応じた多様な寸法のものを設計・製造する必要があり、手間やコストを要するという問題があった。
【０００７】
そこで、この考案は、様々な高さの商品を単一種類の吊下式陳列具で陳列できるようにすることを課題とする。
【課題を解決するための手段】
【０００８】
上記課題を解決するため、この考案は、複数個のトレイが帯状の連結板を介して連結され、前記各トレイが上下に並び、前記連結板の長さ方向が縦方向に向いた吊下状態で、前記各トレイに載せた商品を陳列する吊下式陳列具において、
前記トレイの両側の連結ピンが挿入される前記連結板の溝穴は、前記連結板の長さ方向に延びる長穴部と、前記長穴部から前記連結板の長さ方向の複数箇所で分岐する切込部とを備えており、
前記トレイの相対移動に伴い、前記溝穴の長穴部及び切込部に沿って前記連結ピンがスライド可能とされ、
前記溝穴の複数の切込部のうち、いずれの切込部に前記連結ピンを進入させるか選択することにより、吊下状態における前記トレイの上下方向の間隔が調整可能となっているものとしたのである。
【０００９】
また、前記溝穴の切込部は、前記長穴部に直接連通する誘導部と、その誘導部の奥端側から吊下状態の方向で上方へ曲がった鉤部とから構成され、
前記連結ピンが前記切込部の誘導部を経て鉤部に進入すると、吊下状態で前記連結ピンの前記切込部から前記長穴部への抜け出しが阻止されるものとしたのである。
【００１０】
さらに、前記連結板における溝穴の切込部は、前記長穴部に対して、吊下状態の方向で陳列時の正面側から後方へ延びており、
前記溝穴の切込部に前記連結ピンが挿入された吊下状態で、前記トレイが後方へ押されたとき、前記連結ピンが前記切込部の奥側に位置して、前記長穴部には逸脱しないものとしたのである。
【００１１】
また、前記各トレイのうち、前記長穴部及び切込部を備えた溝穴に挿入される連結ピンのないトレイの両側には、それぞれ２個の連結ピンが突設され、そのうち一方の連結ピンが前記連結板に対する回転軸となり、他方の連結ピンが前記連結板に形成された円弧状の溝穴に挿入され、
前記他方の連結ピンが前記溝穴に沿ってスライド可能な範囲で、前記トレイが前記連結板に対して揺動可能とされ、
前記各トレイの前記連結板に対する相対回転及び移動に伴い、前記各トレイが正立状態で前後に間隔を詰めて並べられた並置状態となるものとしたのである。
【考案の効果】
【００１２】
この考案に係る吊下式陳列具では、連結板の溝穴に長穴部から複数箇所で分岐する切込部を設け、いずれの切込部にトレイの連結ピンを進入させるか選択することにより、吊下状態におけるトレイの上下方向の間隔を調整できるようにしたので、商品の高さに応じた多様なものを設計・製造する必要がなく、単一種類のもので様々な高さの商品の陳列に対応でき、設計・製造に要する手間やコストを削減することができる。
【図面の簡単な説明】
【００１３】
【図１】この考案の実施形態に係る吊下式陳列具において連結板の最上段の切込部に連結ピンを進入させた吊下状態を示す斜視図
【図２】同上の中段の切込部に連結ピンを進入させた吊下状態を示す斜視図
【図３】同上の最下段の切込部に連結ピンを進入させた吊下状態を示す斜視図
【図４】同上の（４Ａ）最上段の切込部、（４Ｂ）中段の切込部、（４Ｃ）最下段の切込部にそれぞれ連結ピンを進入させた吊下状態を示す側面図
【図５】同上のトレイの間隔を最大とした吊下状態を示す斜視図
【図６】同上のトレイを前後に並べて間隔を詰めた並置状態を示す斜視図
【図７】同上の吊下式陳列具の構成部材のブランクを示す図
【図８】同上の連結板の他の実施形態を示す図
【図９】同上の連結板の他の実施形態を示す図
【図１０】特許文献１に記載の吊下式陳列具の吊下状態を示す斜視図
【考案を実施するための形態】
【００１４】
以下、この考案の実施形態を添付図面に基づいて説明する。
【００１５】
図１乃至図６に示すように、この吊下式陳列具は、商品の陳列用の吊下状態で上下に並び、輸送用の並置状態で前後に並ぶ２個のトレイ１と、これらを両側で連結する２枚の帯状の連結板２を主要部材として構成される。トレイ１の材料には、例えば、Ｅフルート等の薄手の段ボールが使用され、連結板２の材料には、例えば、ＰＥＴ等のプラスチックの板材が使用される。
【００１６】
図７に示すトレイ１のブランクでは、高さが低い前壁１１の両側に、後方が高くなる側壁１２が連設され、一方の側壁１２の後端に後壁１３及び継代片１４が順次連設されている。前壁１１及び後壁１３の下辺には斜折線を有する底板１５ａが、側壁１２の下辺には斜縁を有する底板１５ｂがそれぞれ連設されている。
【００１７】
前壁１１の上辺には、２本の罫線を介して内前板１６及び内底板１７が順次連設され、側壁１２の前側となる斜辺及び上辺には、それぞれ２本の罫線を介して補強片１８が連設されている。後壁１３の上辺には、２本の罫線を介して内後板１９が連設されている。
【００１８】
側壁１２の下寄りの幅方向中央部には、１個の丸抜穴１２ａが設けられ、側壁１２の上寄りには、横に並んだ２個の丸抜穴１２ｂが設けられている。また、側壁１２の上辺から延びる補強片１８にも、横に並んだ２個の丸抜穴１２ｂが設けられている。
【００１９】
一方、連結板２は、長さ方向が縦向きとなり、上半部に溝穴２１が形成されている。溝穴２１は、縦方向に延びる長穴部２２と、長穴部２２から連結板２の長さ方向の３箇所で片側へ分岐する切込部２３とを備えている。溝穴２１の切込部２３は、長穴部２２に直接連通して横方向に延びる誘導部２３ａと、この誘導部２３ａの奥端側から上方へ曲がった鉤部２３ｂとから構成され、Ｌ字状となっている。
【００２０】
連結板２の下部には、丸抜穴２４と、この丸抜穴２４を中心とする円弧状の溝穴２５とが設けられている。溝穴２５は、丸抜穴２４の直下から両方へ湾曲し、溝穴２１の切込部２３の方向へ長く延びている。
【００２１】
上記ブランクからトレイ１を組み立てるには、前壁１１、一対の側壁１２及び後壁１３を角筒状に折り曲げて、継代片１４により継ぎ合わせ、底板１５ａの斜折線の一側に底板１５ｂを貼り付け、対向する底板１５ａ同士を噛み合わせて、底壁１５を形成する。そして、側壁１２の内面に補強片１８を貼り付け、内後板１９を後壁１３の内面に重ねると共に、内前板１６及び内底板１７を前壁１１及び底壁１５の内面にそれぞれ重ねる。
【００２２】
次に、２個のトレイ１を連結して陳列具を組み立てるには、連結板２を、溝穴２１の切込部２３が長穴部２２から後方へ延びる向きとして、２個のトレイ１の一対の側壁１２の外面に沿わせ、吊下状態で上段側となるトレイ１の側壁１２の丸抜穴１２ａと連結板２の溝穴２１とに連結ピン３を挿通して抜け止めする。
【００２３】
また、吊下状態で下段側となるトレイ１の側壁１２の前側の丸抜穴１２ｂと連結板２の丸抜穴２４とに連結ピン４を挿通して抜け止めし、後側の丸抜穴１２ｂと連結板２の溝穴２５とに連結ピン５を挿通して抜け止めする。
【００２４】
これにより、連結ピン３は、吊下状態で上段側となるトレイ１の側壁１２に固定され、トレイ１同士の相対移動に伴い、連結板２の溝穴２１の長穴部２２と切込部２３に沿って連結ピン３が相対的にスライドする。
【００２５】
また、連結ピン４，５は、吊下状態で下段側となるトレイ１の側壁１２に固定され、連結ピン４が連結板２に対する回転軸となり、連結ピン５が溝穴２５に沿って相対的にスライド可能な範囲で、トレイ１と連結板２とが互いに揺動する。
【００２６】
連結ピン３，４，５としては、丸棒の軸部の両端に円盤状のフランジが設けられ、一方のフランジが軸部に対して着脱可能なプラスチック製のビスを使用しており、溝穴２１，２５の溝幅は、軸部の直径より僅かに大きく、フランジの直径より小さくなっている。
【００２７】
また、吊下状態で上段側となるトレイ１の丸抜穴１２ｂには、広告板６に挿通した吊紐７を繋いでおく。広告板６は、商品のキャッチコピー等を印刷して訴求効果を高めるものであるが、不要であれば省略してもよい。
【００２８】
このように組み立てた陳列具を小売店の店頭に吊り下げて商品を陳列する際、商品の高さがかなり高い場合には、図１及び図４（４Ａ）に示すように、上段側となるトレイ１の連結ピン３を連結板２の溝穴２１の上下３個の切込部２３のうち、最上段の切込部２３に進入させると、２個のトレイ１は、上下方向の間隔が広がった状態で保持され、下段側のトレイ１にも商品を載せて陳列することができる。
【００２９】
また、商品の高さが少し低い場合には、図２及び図４（４Ｂ）に示すように、上段側となるトレイ１の連結ピン３を連結板２の溝穴２１の上下３個の切込部２３のうち、中段の切込部２３に進入させると、２個のトレイ１は、上下方向の間隔が若干詰まった状態で保持され、下段側のトレイ１にも商品を載せて陳列することができる。
【００３０】
さらに、商品の高さがかなり低い場合には、図３及び図４（４Ｃ）に示すように、上段側となるトレイ１の連結ピン３を連結板２の溝穴２１の上下３個の切込部２３のうち、最下段の切込部２３に進入させると、２個のトレイ１は、上下方向の間隔が最も詰まった状態で保持され、トレイ１に載せた商品を見映えよく陳列することができる。
【００３１】
なお、上記各陳列状態において、連結ピン３が溝穴２１の誘導部２３ａを経て鉤部２３ｂに進入することにより、吊下状態で連結ピン３が切込部２３から長穴部２２へ不意に抜け出す現象が阻止される。
【００３２】
また、溝穴２１の切込部２３の誘導部２３ａは、長穴部２２に対して、吊下状態の方向で陳列時の正面側から後方へ延びているので、溝穴２１の切込部２３に連結ピン３が挿入された吊下状態で、トレイ１が後方へ押されても、連結ピン３が溝穴２１の切込部２３の奥側に位置しているので、長穴部２２には逸脱しない。
【００３３】
このため、上段側のトレイ１の連結ピン３が溝穴２１の長穴部２２の上端内縁に当接するまで下段側のトレイ１が不意に落下することがない。
【００３４】
また、商品の高さが相当高い場合には、図５に示すように、上段側のトレイ１の連結ピン３が溝穴２１の長穴部２２の上端内縁に当接するまで下段側のトレイ１を下降させておくと、２個のトレイ１の上下方向の間隔が最大限に広がった状態で保持され、下段側のトレイ１にも商品を載せて陳列することができる。
【００３５】
上記のように、この陳列具では、いずれの切込部２３に上段側のトレイ１の連結ピン３を進入させるか選択することにより、又は、連結ピン３が溝穴２１の長穴部２２の上端内縁に当接するまで下段側のトレイ１を下降させることにより、吊下状態におけるトレイ１の上下方向の間隔を調整できるようにしたので、商品の高さに応じた多様なものを設計・製造する必要がなく、単一種類のもので様々な高さの商品の陳列に対応でき、設計・製造に要する手間やコストを削減することができる。
【００３６】
また、吊下状態で、下段側のトレイ１は、両側がそれぞれ前後に並んだ連結ピン４，５で２点支持されているので、揺動が抑制され、安定した陳列が可能となる。
【００３７】
一方、この陳列具を商品と共に小売店へ輸送する際には、図６に示すように、２個のトレイ１を正立させたまま、連結ピン３，４を回転軸として、溝穴２５に沿った連結ピン５の円弧状のスライドに伴い、連結板２に対して相対回転させ、溝穴２１に沿った連結ピン３のスライドに伴い、トレイ１同士が前後に間隔を詰めて並んだ並置状態とする。
【００３８】
従って、商品が液体の薬品や化粧品入りの瓶などであっても、液漏れが生じる恐れがなく、トレイ１の変形や商品破損を防止しつつ、嵩を低くした状態で外箱に収納し、効率よく輸送することができる。
【００３９】
また、店頭では、外箱から取り出し、前側のトレイ１を持ち上げるだけで、トレイ１が上下に並んだ状態とすることができ、上段側と下段側のトレイ１の間隔を適宜調整して吊下状態とし、商品を陳列することができる。
【００４０】
なお、上記実施形態では、トレイ１が２個連結された陳列具を例示したが、トレイ１が３個以上連結された多段式の陳列具においても、同様の間隔調整機構を適用できる。
【００４１】
また、連結板２において、溝穴２１に３個の切込部２３を備えたものを例示したが、さらに多数の切込部２３を設け、吊下状態で上段側と下段側のトレイ１の間隔を多段階に調整できるようにしてもよい。
【００４２】
また、連結板２において、溝穴２１の切込部２３に鉤部２３ｂを備えたものを例示したが、鉤部２３ｂを省略し、図８に示すように、切込部２３は、長穴部２２との連通部から斜め上方へ直線状に延びるものとしてもよい。
【００４３】
さらに、図９に示すように、長穴部２２がジグザグに屈曲し、その屈曲部から切込部２３が分岐するものとしてもよい。
【００４４】
そのほか、トレイ１の材料として段ボールを例示し、連結板２の材料としてプラスチック板を例示したが、トレイ１及び連結板２の材料は特に限定されず、例えば、連結板２を板紙製としたり、トレイ１をクリアシートのようなプラスチック製ブランクの折り曲げにより形成されるものとしてもよい。
【符号の説明】
【００４５】
１  トレイ
２  連結板
３，４，５  連結ピン
６  広告板
７  吊紐
１１  前壁
１２  側壁
１２ａ，１２ｂ  丸抜穴
１３  後壁
１４  継代片
１５  底壁
１５ａ，１５ｂ  底板
１６  内前板
１７  内底板
１８  補強片
１９  内後板
２１  溝穴
２２  長穴部
２３  切込部
２３ａ  誘導部
２３ｂ  鉤部
２４  丸抜穴
２５  溝穴
【図１】
0003220694.tif 000003
【図２】
0003220694.tif 000004
【図３】
0003220694.tif 000005
【図４】
0003220694.tif 000006
【図５】
0003220694.tif 000007
【図６】
0003220694.tif 000008
【図７】
0003220694.tif 000009
【図８】
0003220694.tif 000010
【図９】
0003220694.tif 000011
【図１０】
0003220694.tif 000012